(57)【要約】  【課題】  識別子等の他の情報の発行を伴うことなく、広告サイトの広告の成果を確実に登録することを可能とすることである。  【解決手段】  商用サーバへの各アクセスに対応するアクセスログを取得するログ取得ステップ（Ｓ１）と、前記アクセスログを追跡して、商用サイト上での商取引完了に至るプロセスの起源となる当該商用サイトへのアクセスが、前記商用サイトにリンクされた広告の掲載された広告サイトのサイト識別情報を登録保持する登録サイトデータベースに登録保持されたサイト識別情報にて特定される広告サイトを経由したものであるか否かを判定する経由サイト判定ステップ（Ｓ２〜Ｓ９）と、前記商取引完了に至るプロセスの起源となる当該商用サイトへのアクセスが前記広告サイトを経由したものであるとの判定がなされたときに、前記広告サイトに関連付けて成果情報を登録する成果情報登録ステップ（Ｓ１０）とを有する構成となる。【選択図】  図５
2006031076.tif 000002
【特許請求の範囲】
【請求項１】
ＩＰネットワーク上の商用サイトにリンクされた広告の掲載された広告サイトを特定するサイト識別情報を登録保持する登録サイトデータベースと、
前記ＩＰネットワーク上に前記商用サイトを提供する商用サーバへの各アクセスに至るアクセス経路を表すアクセスログを取得するログ取得手段と、
前記ログ取得手段にて取得されたアクセスログを追跡して、前記商用サイト上での商取引完了に至るプロセスの起源となる当該商用サイトへのアクセスが前記登録サイトデータベースに登録保持されたサイト識別情報にて特定される広告サイトを経由したものであるか否かを判定する経由サイト判定手段と、
前記経由サイト判定手段にて前記商取引完了に至るプロセスの起源となる当該商用サイトへのアクセスが前記広告サイトを経由したものであるとの判定がなされたときに、前記広告サイトに関連付けて成果情報を登録する成果情報登録手段とを有する広告成果登録装置。
【請求項２】
前記経由サイト判定手段は、前記ログ取得手段にて取得されたアクセスログを追跡して、前記商用サイト上での商取引完了に係る取引完了サイト情報へのアクセスがなされるまでのプロセスの起源となる当該商用サイトの進入サイト情報へのアクセスに対応したアクセスログに含まれる外部経由サイトを特定する経由サイト識別情報を抽出する経由サイト抽出手段と、
前記経由サイト識別情報に一致するサイト識別情報が前記登録サイトデータベースに登録保持されているか否かを判定するサイト識別情報判定手段とを有する請求項１記載の広告成果登録装置。
【請求項３】
前記経由サイト抽出手段は、前記ログ取得手段にて取得されたアクセスログから選ばれたアクセスログが前記取引完了サイト情報へのアクセスに対応するものであるか否かを判定するログ判定手段と、
前記ログ判定手段により前記選択されたアクセスログが前記取引完了サイト情報へのアクセスに対応するものであるとの判定がなされたときに、前記選択されたアクセスログに対応したアクセスより時間的に以前のアクセスに対応するアクセスログを追跡して、前記選択されたアクセスログに対応するアクセスに至るプロセスの起源となる前記進入サイト情報へのアクセスに対応したアクセスログを抽出する進入アクセス抽出手段とを有し、
前記進入アクセス抽出手段にて抽出されたアクセスログから前記経由サイト識別情報を抽出するようにした請求項２記載の広告成果登録装置。
【請求項４】
前記各アクセスログは対応するアクセスの時刻情報を含むものであって、
前記成果情報登録手段は、前記進入サイト情報へのアクセスに対応するアクセスログに含まれる時刻情報と前記取引完了サイト情報へのアクセスに対応するアクセスログに含まれる時刻情報とに基づいて前記進入サイト情報へのアクセスから前記取引完了サイト情報へのアクセスまでの時間を演算する時間演算手段と、
前記時間演算手段にて得られた時間が所定時間以下であるか否かを判定する時間判定手段とを有し、
前記時間判定手段にて前記時間が前記所定時間以下であるとの判定がなされたときに、前記成果情報を登録するようにした請求項２または３記載の広告成果登録装置。
【請求項５】
前記商用サーバが当該商用サーバへの各アクセスに対するアクセスログを蓄積するアクセスログ蓄積手段を有するものであって、
前記ログ取得手段は、前記アクセスログ蓄積手段に蓄積されたアクセスログを取得するようにした請求項１乃至４のいずれかに記載の広告成果登録装置。
【請求項６】
前記ログ取得手段は、前記商用サーバへの各アクセスをアクセスログとしてキャプチャするキャプチャ装置から前記アクセスログを取得するようにした請求項１乃至４のいずれかに記載の広告成果登録装置。
【請求項７】
当該広告成果登録装置は、前記ＩＰネットワークに接続され、
前記ログ取得手段は、前記ＩＰネットワークを介して前記キャプチャ装置から前記アクセスログを取得するようにした請求項６記載の広告成果登録装置。
【請求項８】
ＩＰネットワーク上に商用サイトを提供する商用サーバへの各アクセスに至るアクセス経路を表すアクセスログを取得するログ取得ステップと、
前記ログ取得ステップにて取得されたアクセスログを追跡して、前記商用サイト上での商取引完了に至るプロセスの起源となる当該商用サイトへのアクセスが、前記商用サイトにリンクされた広告の掲載された広告サイトを特定するサイト識別情報を登録保持する登録サイトデータベースに登録保持されたサイト識別情報にて特定される広告サイトを経由したものであるか否かを判定する経由サイト判定ステップと、
前記経由サイト判定ステップにて前記商取引完了に至るプロセスの起源となる当該商用サイトへのアクセスが前記広告サイトを経由したものであるとの判定がなされたときに、前記広告サイトに関連付けて成果情報を登録する成果情報登録ステップとを有する広告成果登録処理方法。
【請求項９】
前記経由サイト判定ステップは、前記ログ取得ステップにて取得されたアクセスログを追跡して、前記商用サイト上での商取引完了に係る取引完了サイト情報へのアクセスがなされるまでのプロセスの起源となる当該商用サイトの進入サイト情報へのアクセスに対応したアクセスログに含まれる外部経由サイトを特定する経由サイト識別情報を抽出する経由サイト抽出ステップと、
前記経由サイト識別情報に一致するサイト識別情報が前記登録サイトデータベースに登録保持されているか否かを判定するサイト識別情報判定ステップとを有する請求項８記載の広告成果登録処理方法。
【請求項１０】
前記経由サイト抽出ステップは、前記ログ取得ステップにて取得されたアクセスログから選ばれたアクセスログが前記取引完了サイト情報へのアクセスに対応するものであるか否かを判定するログ判定ステップと、
前記ログ判定ステップにより前記選択されたアクセスログが前記取引完了サイト情報へのアクセスに対応するものであるとの判定がなされたときに、前記選択されたアクセスログに対応したアクセスより時間的に以前のアクセスに対応するアクセスログを追跡して、前記選択されたアクセスログに対応するアクセスに至るプロセスの起源となる前記進入サイト情報へのアクセスに対応したアクセスログを抽出する進入アクセス抽出ステップとを有し、
前記進入アクセス抽出ステップにて抽出されたアクセスログから前記経由サイト識別情報を抽出するようにした請求項９記載の広告成果登録処理方法。
【請求項１１】
ＩＰネットワーク上に商用サイトを提供する商用サーバへの各アクセスに対するアクセス経路を表すアクセスログを取得するログ取得ステップと、
前記ログ取得ステップにて取得されたアクセスログを追跡して、前記商用サイト上での商取引完了に至るプロセスの起源となる当該商用サイトへのアクセスが、前記商用サイトにリンクされた広告の掲載された広告サイトを特定するサイト識別情報を登録保持する登録サイトデータベースに登録保持されたサイト識別情報にて特定される広告サイトを経由したものであるか否かを判定する経由サイト判定ステップと、
前記経由サイト判定ステップにて前記商取引完了に至るプロセスの起源となる当該商用サイトへのアクセスが前記広告サイトを経由したものであるとの判定がなされたときに、前記広告サイトに関連付けて成果情報を登録する成果情報登録ステップとをコンピュータに実行させるプログラム。
【請求項１２】
前記経由サイト判定ステップは、前記ログ取得ステップにて取得されたアクセスログを追跡して、前記商用サイト上での商取引完了に係る取引完了サイト情報へのアクセスがなされるまでのプロセスの起源となる当該商用サイトの進入サイト情報へのアクセスに対応したアクセスログに含まれる外部経由サイトを特定する経由サイト識別情報を抽出する経由サイト抽出ステップと、
前記経由サイト識別情報に一致するサイト識別情報が前記登録サイトデータベースに登録保持されているか否かを判定するサイト識別情報判定ステップとを有する請求項１１記載のプログラム。
【請求項１３】
前記経由サイト抽出ステップは、前記ログ取得ステップにて取得されたアクセスログから選ばれたアクセスログが前記取引完了サイト情報へのアクセスに対応するものであるか否かを判定するログ判定ステップと、
前記ログ判定ステップにより前記選択されたアクセスログが前記取引完了サイト情報へのアクセスに対応するものであるとの判定がなされたときに、前記選択されたアクセスログに対応したアクセスより時間的に以前のアクセスに対応するアクセスログを追跡して、前記選択されたアクセスログに対応するアクセスに至るプロセスの起源となる前記進入サイト情報へのアクセスに対応したアクセスログを抽出する進入アクセス抽出ステップとを有し、
前記進入アクセス抽出ステップにて抽出されたアクセスログから前記経由サイト識別情報を抽出するようにした請求項１２記載のプログラム。
【請求項１４】
請求項１１乃至１３のいずれかに記載されたプログラムを記録したコンピュータ読み取り可能な記録媒体。
【発明の詳細な説明】
【技術分野】
【０００１】
本発明は、ＩＰネットワーク上の商用サイトにリンクされた広告が掲載される広告サイトを経由した前記商用サイトへのアクセスに基づいて前記広告サイトの広告の成果を前記広告サイトに関連付けて登録する広告成果登録装置、広告成果登録処理方法及び登録成果登録処理プログラムに関する。
【背景技術】
【０００２】
インターネット上の商用サイトにリンクされたバナー広告やボタンが掲載されるアフィリエイトサイト（広告サイト）を経由した前記商用サイトへのアクセスに基づいてその商用サイト上で提供されるサービス（商品を含み得る。以下、同様）に対する取引が成立した場合に、その広告の成果があったものとして、前記アフィリエイトサイトに対して一定の対価（例えば、金銭的な対価）を与えることのできるシステムが提案されている（例えば、特許文献１参照）。このようなシステムは、アフィリエイト・マーケティングシステム等と称されている。
【０００３】
従来のこのようなシステムでは、顧客端末にてインターネット上のアフィリエイトサイトに掲載されたバナー広告に対するクリック操作がなされると、顧客端末からそのバナー広告に関連付けられたリンク情報にて特定される商用サイトを提供するマーチャントサーバ（ＥＣウェブサーバ）にアクセスがなされると共にそのリンク情報が送信される。リンク情報を受信したマーチャントサーバは、リンク情報に含まれる前記アフィリエイトサイトに関する情報に対応させた識別子を生成し、前記商用サイトの情報と共に前記識別子を顧客端末に送信する。
【０００４】
顧客端末では、受信した情報に基づいて商用サイトが表示されると共に、前記識別子が所定のファイルとして格納される。以後、顧客端末からマーチャントサーバへのセッションにおいて前記識別子が用いられる。マーチャントサーバでは、顧客端末との各セッションにおいて、前記識別子に基づいて当該セッションがアフィリエイトサイトの前記バナー広告に基づいたセッションであることを判別することができるようになる。そして、顧客端末とマーチャントサーバとのセッションにおいて前記商用サイトが提示するサービスの購入処理がなされると、マーチャントサーバでは、そのサービスの購入が前記バナー広告の成果であるとして、前記アフィリエイトサイトに関連付けて成果情報の登録、例えば、一定の対価（広告料）の登録がなされる。
【０００５】
このようなシステムによれば、マーチャントサーバにおいて、顧客端末から商用サイトへのアクセスがアフィリエイトサイトを経由してなされた後は、顧客端末から商用サイトへのセッションが前記アフィリエイサイトの広告に起因したしたものであるか否かを前記識別子にて区別することができる。そして、その識別子を用いたセッションにおいてサービスの購入処理がなされた際に、その識別子に対応するアフィリエイトサイトに関連付けて成果情報の登録を行なうことができる。
【特許文献１】特開２００１−２６６００１号公報
【発明の開示】
【発明が解決しようとする課題】
【０００６】
しかしながら、前述したシステムでは、顧客端末からアフィリエイトサイトを経由して商用サイトへのアクセスがなされたときには、その商用サイトにて提示されるサービスの購入の有無にかかわらず、前記アフィリエイトサイトに関する情報に基づいた識別子が必ず顧客端末に対して発行されるので、その識別子をインターネットに接続されたいずれの端末でも容易に取得することができてしまう。このため、アフィリエイトサイトに対して登録される広告の成果の信頼性を確保するためには、前記識別子の不正使用を防止するための高度なセキュリティシステムが必要となる。
【０００７】
本発明は、このような従来のシステムの欠点を解決するためになされたもので、識別子等の他の情報の発行を伴うことなく、広告サイト（アフィリエイトサイト）の広告の成果を確実に登録することを可能とする広告成果登録装置、広告成果登録処理方法、及び広告成果登録処理プログラムを提供するものである。
【課題を解決するための手段】
【０００８】
本発明に係る広告成果登録装置は、ＩＰネットワーク上の商用サイトにリンクされた広告の掲載された広告サイトを特定するサイト識別情報を登録保持する登録サイトデータベースと、前記ＩＰネットワーク上に前記商用サイトを提供する商用サーバへの各アクセスに至るアクセス経路を表すアクセスログを取得するログ取得手段と、前記ログ取得手段にて取得されたアクセスログを追跡して、前記商用サイト上での商取引完了に至るプロセスの起源となる当該商用サイトへのアクセスが前記登録サイトデータベースに登録保持されたサイト識別情報にて特定される広告サイトを経由したものであるか否かを判定する経由サイト判定手段と、前記経由サイト判定手段にて前記商取引完了に至るプロセスの起源となる当該商用サイトへのアクセスが前記広告サイトを経由したものであるとの判定がなされたときに、前記広告サイトに関連付けて成果情報を登録する成果情報登録手段とを有する構成となる。
【０００９】
このような構成により、商用サイトを提供する商用サーバへの各アクセスに至るアクセス経路を表すアクセスログが取得され、そのアクセスログを追跡して、前記商用サイト上での商取引完了に至るプロセスの起源となる当該商用サイトへのアクセスが登録サイトデータベースに登録保持されたサイト識別情報にて特定される広告サイトを経由したものであるとの判定がなされると、前記広告サイトに関連付けて成果情報が登録される。即ち、広告サイトを経由した商用サイトへのアクセスに起因して当該商用サイト上にて商取引が完了すると、前記広告サイトに関連付けて成果情報が登録される。
【００１０】
前記成果情報は特に限定されず、前記広告サイトを経由した商用サイトへのアクセスに起因して商取引完了に至った事実を表す情報、ポイント情報、対価情報等を前記成果情報とすることができる。
【００１１】
また、本発明に係る広告成果登録装置は、前記経由サイト判定手段が、前記ログ取得手段にて取得されたアクセスログを追跡して、前記商用サイト上での商取引完了に係る取引完了サイト情報へのアクセスがなされるまでのプロセスの起源となる当該商用サイトの進入サイト情報へのアクセスに対応したアクセスログに含まれる外部経由サイトを特定する経由サイト識別情報を抽出する経由サイト抽出手段と、前記経由サイト識別情報に一致するサイト識別情報が前記登録サイトデータベースに登録保持されているか否かを判定するサイト識別情報判定手段とを有する構成とすることができる。
【００１２】
このような構成により、商用サイト上での取引完了に係る取引完了サイト情報へのアクセスがなされるまでのプロセスの起源となる当該商用サイトの進入サイト情報へのアクセスに対応したアクセスログに含まれる経由サイト識別情報に一致するサイト識別情報が登録サイトデータベースに登録保持されている場合に、商取引完了に至るプロセスの起源となる当該商用サイトへのアクセスが前記サイト識別情報にて特定される広告サイトを経由したものであるとの判定がなされる。
【００１３】
更に、本発明に係る広告成果登録装置は、前記経由サイト抽出手段が、前記ログ取得手段にて取得されたアクセスログから選ばれたアクセスログが前記取引完了サイト情報へのアクセスに対応するものであるか否かを判定するログ判定手段と、前記ログ判定手段により前記選択されたアクセスログが前記取引完了サイト情報へのアクセスに対応するものであるとの判定がなされたときに、前記選択されたアクセスログに対応したアクセスより時間的に以前のアクセスに対応するアクセスログを追跡して、前記選択されたアクセスログに対応するアクセスに至るプロセスの起源となる前記進入サイト情報へのアクセスに対応したアクセスログを抽出する進入アクセス抽出手段とを有し、前記進入アクセス抽出手段にて抽出されたアクセスログから前記経由サイト識別情報を抽出するようにした構成とすることができる。
【００１４】
このような構成により、取得されたアクセスログから選ばれたアクセスログが取引完了サイト情報へのアクセスに対するものであるとの判定がなされた場合、その選ばれたアクセスに至るプロセスの起源となる進入サイト情報へのアクセスに対するアクセスログにて表される経由サイト識別情報が抽出される。
【００１５】
また、本発明に係る広告効果登録装置は、前記各アクセスログは対応するアクセスの時刻情報を含むものであって、前記成果情報登録手段は、前記進入サイト情報へのアクセスに対応するアクセスログに含まれる時刻情報と前記取引完了サイト情報へのアクセスに対応するアクセスログに含まれる時刻情報とに基づいて前記進入サイト情報へのアクセスから前記取引完了サイト情報へのアクセスまでの時間を演算する時間演算手段と、前記時間演算手段にて得られた時間が所定時間以下であるか否かを判定する時間判定手段とを有し、前記時間判定手段にて前記時間が前記所定時間以下であるとの判定がなされたときに、前記成果情報を登録するようにした構成とすることができる。
【００１６】
このような構成により、商用サイトの進入サイト情報へのアクセスから取引完了サイト情報へのアクセスまでに至るプロセスの時間が所定時間以下である場合に、当該広告サイトに関連付けて成果情報が登録される。従って、広告サイトに掲載される広告により強く誘導されて商用サイト上での商取引が完了したと見込まれる場合に、その広告サイトに関連付けて成果情報が登録され得るようになる。
【００１７】
また、本発明に係る広告効果登録装置は、前記商用サーバが当該商用サーバへの各アクセスに対するアクセスログを蓄積するアクセスログ蓄積手段を有するものであって、前記ログ取得手段が、前記アクセスログ蓄積手段に蓄積されたアクセスログを取得するようにした構成とすることができる。
【００１８】
このような構成により、商用サーバへの各アクセスに対応したアクセスログを容易に取得することができるようになる。
【００１９】
また、本発明に係る広告効果登録装置は、前記ログ取得手段が、前記商用サーバへの各アクセスをアクセスログとしてキャプチャするキャプチャ装置から前記アクセスログを取得するようにした構成とすることができる。
【００２０】
このような構成により、商用サーバへの直接的な制御を伴うことなく当該商用サーバへの各アクセスに対応したアクセスログを容易に取得することができるようになる。
【００２１】
更に、本発明に係る広告効果登録装置は、前記ＩＰネットワークに接続され、前記ログ取得手段が、前記ＩＰネットワークを介して前記キャプチャ装置から前記アクセスログを取得するようにした構成とすることができる。
【００２２】
このような構成により、商用サーバから遠隔の場所にて当該商用サーバへの各アクセスに対応したアクセスログを容易に取得することができるようになる。
【００２３】
本発明に係る広告効果登録処理方法は、ＩＰネットワーク上に商用サイトを提供する商用サーバへの各アクセスに至るアクセス経路を表すアクセスログを取得するログ取得ステップと、前記ログ取得ステップにて取得されたアクセスログを追跡して、前記商用サイト上での商取引完了に至るプロセスの起源となる当該商用サイトへのアクセスが、前記商用サイトにリンクされた広告の掲載された広告サイトを特定するサイト識別情報を登録保持する登録サイトデータベースに登録保持されたサイト識別情報にて特定される広告サイトを経由したものであるか否かを判定する経由サイト判定ステップと、前記経由サイト判定ステップにて前記商取引完了に至るプロセスの起源となる当該商用サイトへのアクセスが前記広告サイトを経由したものであるとの判定がなされたときに、前記広告サイトに関連付けて成果情報を登録する成果情報登録ステップとを有する構成となる。
【００２４】
本発明に係る広告効果登録処理プログラムは、ＩＰネットワーク上に商用サイトを提供する商用サーバへの各アクセスに至るアクセス経路を表すアクセスログを取得するログ取得ステップと、前記ログ取得ステップにて取得されたアクセスログを追跡して、前記商用サイト上での商取引完了に至るプロセスの起源となる当該商用サイトへのアクセスが、前記商用サイトにリンクされた広告の掲載された広告サイトを特定するサイト識別情報を登録保持する登録サイトデータベースに登録保持されたサイト識別情報にて特定される広告サイトを経由したものであるか否かを判定する経由サイト判定ステップと、前記経由サイト判定ステップにて前記商取引完了に至るプロセスの起源となる当該商用サイトへのアクセスが前記広告サイトを経由したものであるとの判定がなされたときに、前記広告サイトに関連付けて成果情報を登録する成果情報登録ステップとをコンピュータに実行させる構成となる。
【発明の効果】
【００２５】
本発明に係る広告成果登録装置によれば、商用サーバへの各アクセスに対応したアクセスログを追跡して、前記商用サーバが提供する商用サイト上での商取引完了に至るプロセスの起源となる当該商用サイトへのアクセスが登録サイトデータベースに登録保持されたサイト識別情報にて特定される広告サイトを経由したものであるとの判定がなされたときに、前記広告サイトに関連付けて成果情報が登録されるので、識別子等の他の情報の発行を伴うことなく、広告サイトの広告の成果を確実に登録することが可能となる。
【発明を実施するための最良の形態】
【００２６】
以下、本発明の実施の形態について、図面を用いて説明する。
【００２７】
本発明の第一の実施の形態に係る広告成果登録装置が適用されるシステムは、図１に示すように構成される。
【００２８】
図１において、このシステムは、インターネット５０上にアフィリエイトサイト（広告サイト）を提供する複数のアフィリエイトウェブサーバ（広告サーバ）２１０ａ、２１０ｂ、２１０ｃがインターネット５０に接続されている。また、例えば、サービス提供（商品提供も含む）者施設１００には、ＥＣウェブサーバ（商用サーバ）１１０、広告成果登録装置としての機能を有するアフィリエイト管理サーバ１２０及び管理画面用ウェブサーバ１３０が設置されている。ＥＣウェブサーバ１１０は、インターネット５０に接続され、ネットショッピング等の商用サイトをインターネット５０上に提供すると共にインターネット５０を介した各アクセスに対応したアクセスログを蓄積するログ蓄積装置１１１を備えている。アフィリエイト管理サーバ１２０は、アフィリエイトデータベース１２１を備えると共に、ＥＣウェブサーバ１１０に接続され、後述するようなアフィリエイトサイトに対する成果情報を登録するための処理を実行する。アフィリエイトデータベース１２１は、後述するようなアフィリエイトプロファイルデータベース（登録サイトデータベース）及び広告成果データベースを含む。管理画面用ウェブサーバ１３０は、インターネット５０に接続され、アフィリエイトデータベース１２１に含まれる広告成果データベースに蓄積された情報を提示する管理画面サイトをインターネット５０上に提供する。
【００２９】
各アフィリエイトウェブサーバ２１０ａ、２１０ｂ、２１０ｃが提供するアフィリエイトサイトには、ＥＣウェブサーバ１１０が提供する商用サイトへのリンク情報（当該商用サイトのＵＲＩ（Uniform Resource Identifier）を含む）が関連付けられたバナー広告やボタンが掲載されている。インターネット５０に接続された顧客端末３００は、ブラウザ機能によって、各アフィリエイトウェブサーバ２１０ａ、２１０ｂ、２１０ｃが提供するアフィリエイトサイト及びＥＣウェブサーバ１１０が提供する商用サイトへのアクセスが可能となる。
【００３０】
このような構成となるシステムにおいて、ＥＣウェブサーバ１１０へのアクセスがなされるとそのアクセスに対応したアクセスログがログ蓄積装置１１１に蓄積される。このアクセスログは、図２に示すように、アクセス元となる端末（例えば、顧客端末３００）をインターネット５０上で特定するＩＰアドレス（アクセス元アドレス）、そのアクセス時刻、商用サイトにおけるアクセス先のサイト情報（ページ）のファイル名を表すＵＲＩ、そのアクセスの成功または失敗を表すアクセス結果情報、経由サイトを特定するリファーラ（Referrer）及びそのアクセスを発生したアプリケーションを特定する情報（User Agent）を含む一般的に知られた構成となっている。このような構成により、アクセスログは対応するアクセスに至るアクセス経路を表し得る。例えば、図２に示すアクセスログ＃１は、ＩＰアドレス“211.10.46.123”から当該商用サイトに含まれるサイト情報 “itemlist01.htiml HTTP/1.1”へのアクセスがリファーラ“http://www.domo1.com”にて特定されるサイトを経由した経路にてなされたことを表す。
【００３１】
ＥＣウェブサーバ１１０を運営するサービス提供者は、各アフィリエイトウェブサーバ２１０ａ、２１０ｂ、２１０ｃの管理者と契約を行なうことにより、各アフィリエイトウェブサーバ２１０ａ、２１０ｂ、２１０ｃが提供するアフィリエイトサイトに関するプロファイル情報をアフィリエイトデータベース１２１におけるアフィリエイトプロファイルデータベースに予め登録する。このプロファイル情報の登録は、インターネット５０を介して行なうことも、また、契約書に基づいたオペレータの登録操作によって行なうこともできる。具体的には、図３に示すように、アフィリエイトサイトを特定するＵＲＩ及びその管理者の属性情報（氏名、ＩＤ情報、連絡先、決済口座等）を含むプロファイル情報が登録ＮＯ．に対応付けて前記アフィリエイトプロファイルデータベースに登録される。
【００３２】
アフィリエイト管理サーバ１２０は、日次処理として、図５に示す手順に従ってアフィリエイトサイトに対する成果情報を登録するための処理を実行する。この処理は、アフィリエイト管理サーバ１２０内に格納されたプログラムに従って実行される。このプログラムは、ＣＤ、ＤＶＤ、ＭＯなどのディスク記録媒体、フラッシュメモリ、ＲＯＭ等の半導体メモリ等の記録媒体によってアフィリエイト管理サーバ１２０に提供され得る。
【００３３】
図５において、アフィリエイト管理サーバ１２０は、ＥＣウェブサーバ１１０のログ蓄積装置１１１に蓄積されたアクセスログを取得する（Ｓ１）。その状態で、アフィリエイト管理サーバ１２０は、取得した全てのアクセスログについての処理が終了したか否かの判定を行なう（Ｓ２）。取得した全てのアクセスログについての処理がまだ終了していない場合（Ｓ２でＮＯ）、アフィリエイト管理サーバ１２０は、最新のアクセスログを選択し（Ｓ３）、その選択されたアクセスログに含まれる商用サイトにおけるアクセス先のサイト情報のファイル名を表すＵＲＩが予め設定された商品購入受付の通知ページ等の当該商用サイト上での商取引完了に係る取引完了ページ（サイト情報）を特定するＵＲＩ（以下、Exit ＵＲＩという）であるか否かを判定する（Ｓ４）。前記アクセス先のサイト情報のファイル名を表すＵＲＩがExit ＵＲＩでないとの判定を行なうと（Ｓ４でＮＯ）、アフィリエイト管理サーバ１２０は、全てのアクセスログについての処理がまだ終了していないとの確認を行いつつ（Ｓ２でＮＯ）、前述した処理と同様の処理（Ｓ３、Ｓ４）を繰り返し実行する。
【００３４】
その過程で、アクセス先のサイト情報のファイル名を表すＵＲＩがExit ＵＲＩであるとの判定を行なうと（Ｓ４でＹＥＳ）、アフィリエイト管理サーバ１２０は、前記Exit ＵＲＩを含むアクセスログからそのアクセスログに対応したアクセスより時間的に以前のアクセスに対応するアクセスログをリファーラ（Referrer）に基づいて順次追跡する（Ｓ５）。例えば、図２に示す例において、アクセスログ＃３に含まれるアクセス先のサイト情報のファイル名を表すＵＲＩ“unicon.gif?C=A0000010 HTTP/1.1”がExit ＵＲＩであるとの判定がなされると（Ｓ４でＹＥＳ）、アクセスログ＃３から、そのアクセスログ＃３にリファーラ（Referrer）として含まれる“・・・thanks.htim”と一致するＵＲＩをアクセス先のサイト情報のファイル名を表すＵＲＩとして含むアクセスログ＃２、次いで、アクセスログ＃２にリファーラ（Referrer）として含まれる“・・・items01.html”と一致するＵＲＩをアクセス先のサイト情報のファイル名を表すＵＲＩとして含むアクセスログ＃１が順次追跡される（Ｓ５）。
【００３５】
その追跡の過程で、アフィリエイト管理サーバ１２０は、前記Exit ＵＲＩを含むアクセスログ＃３に対応したアクセスに至るプロセスの起源となる当該商用サイトの進入サイト情報（ページ）へのアクセスに対応したアクセスログを抽出する（Ｓ６）。具体的には、アクセスログ＃３のアクセス元“211.10.46.123”と同じアクセス元“211.10.46.123”となるアクセスログであって、前記進入サイト情報を特定するＵＲＩ（以下、Enter ＵＲＩという）をアクセス先のサイト情報のファイル名を表すＵＲＩとして含むアクセスログが抽出される。そして、アフィリエイト管理サーバ１２０は、更に、その抽出されたアクセスログからリファーラ（Referrer）を抽出する（Ｓ７）。このリファーラは、前記Enter ＵＲＩにて特定される当該商用サイトの進入サイト情報へのアクセスの際に経由された外部サイトを特定するものとなる。図２に示す例では、前記Enter ＵＲＩとなる“itemlist01.html HTTP/1.1”をアクセス先のサイト情報のファイル名を表すＵＲＩとして含むアクセスログ＃１が抽出され（Ｓ６）、そのアクセスログ＃１からリファーラ“http://www.demo1.com”が抽出される（Ｓ７）。
【００３６】
アフィリエイト管理サーバ１２０は、その抽出したリファーラ（Referrer）がアフィリエイトデータベース１２１におけるアフィリエイトプロファイルデータベース（図３参照）に登録されたアフィリエイトサイトのＵＲＩと一致するか否かを判定する（Ｓ８）。この判定は、前記商用サイト上での商取引完了に至るプロセスの起源となる当該商用サイトの進入サイト情報へのアクセスが前記アフィリエイトプロファイルデータベースに登録されたアフィリエイトＵＲＩで特定されるアフィリエイトサイトを経由したものであるか否かを判定することに対応する。前記リファーラ（Referrer）が登録されたアフィリエイトサイトのＵＲＩと一致するとの判定を行なうと（Ｓ８でＹＥＳ）、即ち、前記商用サイト上での商取引完了に至るプロセスの起源となる前記進入サイト情報へのアクセスが前記登録されたアフィリエイトＵＲＩで特定されるアフィリエイトサイトを経由したものであるとの判定を行なうと、アフィリエイト管理サーバ１２０は、前記進入サイト情報のEnter ＵＲＩを含むログファイル（図２における＃１）に含まれる時刻情報（図２における“11/Mar/2004:04:50:01”）と取引完了ページのExit ＵＲＩを含むログファイル（図２における＃３）に含まれる時刻情報（図２における“11/Mar/2004:05:35:01”）とに基づいて前記進入サイト情報へのアクセスから前記取引完了ページへのアクセスまでの時間を成果判定時間ｔcmとして演算する（Ｓ９）。この成果判定時間ｔcmは、前記登録されたアフィリエイトサイトを経由して商用ページの進入サイト情報へのアクセスがなされてから当該商用ページ上での商取引が完了するまでの時間を表すことになる。
【００３７】
アフィリエイト管理サーバ１２０は、前記成果判定時間ｔcmが所定時間ｔset以下であるか否かを判定し（Ｓ１０）、前記成果判定時間ｔcmが前記所定時間ｔset（例えば、６０分）以下であるとの判定を行なうと（Ｓ１０でＹＥＳ）、アフィリエイトデータベース１２１における広告成果データベースに前記登録アフィリエイトサイトに関連付けて成果情報を登録する（Ｓ１１）。具体的には、図４に示すように、前記登録アフィリエイトサイトを特定する登録ＮＯ．（xxx-0001）に関連付けて、前記取引完了ページのExit ＵＲＬ（図２における“unicon.gif?c=A0000010 HTTP/1/1”）に含まれる発注ＮＯ．（ “A0000010”）が、報酬対象を表す情報として前記広告成果データベースに登録される。この報酬対象を表す情報がアフィリエイトサイトの広告に対する成果情報となる。なお、図４に示す広告成果データベースには、前記報酬対象を表す情報となる各発注ＮＯ．に対する報酬金額、当月の報酬金額の総計（当月総計）及び繰越金額（繰越）の各情報も成果情報として登録され得る。
【００３８】
なお、前述した処理の過程で、図６に示すように、前記Enter ＵＲＩを含むアクセスログ＃１から抽出されたリファーラ（Referrer）“http://www.ecjapanic.com”が、アフィリエイトデータベース１２１におけるアフィリエイトプロファイルデータベース（図３参照）に登録されたアフィリエイトサイトのＵＲＩと一致しないとの判定がなされると（Ｓ８でＮＯ）、商用サイト上での商取引完了に至るプロセスの起源となる前記進入サイト情報へのアクセスが登録されたアフィリエイトサイトを経由したものではないとして、所定のＮＧ処理がなされる（Ｓ１２）。
【００３９】
また、前述した処理の過程で、図７に示すように、前記登録されたアフィリエイトサイトを経由して商用ページの進入サイト情報へのアクセスがなされた時刻（アクセスログ＃１における“11/Mar/2004:04:50:01“）と当該商用ページ上の商取引完了ページへのアクセスがなされた時刻（アクセスログ＃３における”11/Mar/2004:07:35:01“）との差、即ち、成果判定時間ｔcmが前記所定時間ｔsetを越えると（Ｓ１０でＮＯ）、所定のＮＧ処理がなされる（Ｓ１２）。これは、アフィリエイトサイトを経由して商用ページの進入サイト情報へのアクセスがなされてから商取引完了までの時間がかかりすぎた場合である。この場合、商取引がアフィリエイトサイトに掲載される広告に誘導されたというよりも、むしろ当該商用サイト内の各サイト情報に誘導されたものと考え得るため、成果情報の登録はなされない。
【００４０】
なお、前述したアクセスログの追跡に係る処理（Ｓ５）の過程で、図８に示すように、本来経由し得ないサイトを特定するＵＲＩ“http://www.xyz.ne.jp”を含むアクセスログ＃３があると、不正なアクセスとしてＮＧ処理がなされる（図５では図示略）。
【００４１】
ＥＣウェブサーバ１１０のログ蓄積装置１１１から取得された全てのアクセスログに対して前述した処理が終了すると（Ｓ２でＹＥＳ）、アフィリエイト管理サーバ１２０におけるアフィリエイトサイトに対する成果情報を登録するための処理が終了する。
【００４２】
前述したような処理によれば、アフィリエイト管理サーバ１２０は、ＥＣウェブサーバ１１０への各アクセスに対応したアクセスログを追跡して、ＥＣウェブサーバ１２０が提供する商用サイト上での取引完了ページ（Exit ＵＲＬ）へのアクセスに至るプロセスの起源となる当該商用サイトの進入サイト情報（Enter ＵＲＬ）へのアクセスがアフィリエイトプロファイルデータベース（図３参照）に登録保持されたアフィリエイトＵＲＩにて特定されるアフィリエイトサイトを経由したものであるとの判定がなされたときに、広告成果データベース（図４参照）に、そのアフィリエイトサイト（登録ＮＯ．）に関連付けて商取引の発注ＮＯ．等と共に報酬金額（成果情報）が登録される。従って、識別子等の他の情報の発行を伴うことなく、アフィリエイトサイトの広告の成果を確実に登録することが可能となる。
【００４３】
なお、アフィリエイト管理サーバ１２０は、日次処理として、更に、図９に示す手順に従って報酬金額の登録処理を実行する。
【００４４】
図９において、アフィリエイト管理サーバ１２０は、受注処理データ（発注ＮＯ．発注者、発注者端末、発注商品等を含む）をサービス（商品）の受注システムから取得し（Ｓ２１）、注文（取引）が成立しているか否かを判定する（Ｓ２２）。発注者から発注のキャンセルがなされていると（Ｓ２２でＮＯ）、アフィリエイト管理サーバ１２０は、所定のキャンセル処理を実行し（Ｓ２６）、広告成果データベース（図４参照）における前記キャンセルされた発注に係る発注ＮＯ．に対応させて設定されたフラグ（キャンセルフラグ：図示略）を有効にする。キャンセルのなされていない場合（Ｓ２２えＹＥＳ）、アフィリエイト管理サーバ１２０は、各発注ＮＯ．にて特定される取引に対する報酬金額を、例えば、取引金額に応じて計算し（Ｓ２３）、得られた報酬金額を支払い金額として広告成果データベース（図４参照）における当該発注ＮＯ．に対応したレコードに登録する（Ｓ２４）。これらの一連の処理（Ｓ２２〜Ｓ２６）が、全ての受注処理データに対して実行される（Ｓ２５）。
【００４５】
更に、アフィリエイト管理サーバ１２０は、月次処理として、図１０に示す手順に従って、報酬金額の集計処理を実行する。
【００４６】
図１０において、アフィリエイト管理サーバ１２０は、アフィリエイトサイト毎に広告成果データベース（図４参照）に登録された各発注ＮＯ．に対する報酬金額を積算する（Ｓ３１）。そして、アフィリエイト管理サーバ１２０は、その積算金額が設定金額以上でるか否かを判定し（Ｓ３２）、前記積算金額が設定金額以上であると（Ｓ３２でＹＥＳ）、その積算金額を広告成果データベースに当月総計金額として登録すると共に当月の支払い処理を実行する（Ｓ３３）。一方、前記積算金額が設定金額に達していないと（Ｓ３２でＮＯ）、その積算金額を広告成果データベースに繰越金として登録すると共に繰越処理を実行する（Ｓ３４）。これらの一連の処理（Ｓ３１〜Ｓ３４）は、登録された全てのアフィリエイトサイトに対して実行される（Ｓ３５）。
【００４７】
なお、管理画面用ウェブサーバ１３０は、前記広告成果データベース（図４参照）の内容を管理画面サイトにてインターネット５０上に提供する。これにより、例えば、各アフィリエイトウェブサーバ２１０ａ、２１０ｂ、２１０ｂに付随する端末装置から前記管理画面サイトにアクセスして、アフィリエイトＵＲＬ、登録ＮＯ．あるいはＩＤ情報等を指定することにより、それらの指定情報にて特定されるアフィリエイトサイトに対する成果情報（発注ＮＯ．毎の報酬金額、当月総計、繰越金等）を閲覧することが可能となる。
【００４８】
本発明の第二の実施の形態に係る広告成果登録装置が適用されるシステムは、図１１に示すように構成される。なお、図１１において、図１に示す装置と同様のものについては同様の符号が付されている。
【００４９】
図１１において、このシステムは、各ＥＣウェブサーバ１１０ａ、１１０ｂ、１１０ｃは、パケットキャプチャ装置１５０ａ、１５０ｂ、１５０ｃを介してインターネット５０に接続されている。各パケットキャプチャ装置１５０ａ、１５０ｂ、１５０ｃは、対応するＥＣウェブサーバ１１０ａ、１１０ｂ、１１０ｃへのアクセスを暗号化されたアクセスログとしてキャプチャする。
【００５０】
管理業者施設４００には、アフィリエイトデータベース４２１を備えたアフィリエイト管理サーバ４２０と管理画面用ウェブサーバ４３０とが設置されている。アフィリエイトデータベース４２１は、ＥＣウェブサーバ１１０ａ、１１０ｂ、１１０ｃ毎に、商用サイトへのリンク情報が関連付けられたバナー広告等を掲載するアフィリエイトを特定するＵＲＩ及びそのアフィリエイトサイトの管理者の属性情報を含むプロファイル情報を登録するためのアフィリエイトプロファイルデータベース（図３参照）と、登録アフィリエイトサイトに関連付けて成果情報を登録するための広告成果データベース（図４参照）とを有する。
【００５１】
アフィリエイト管理サーバ４２０は、各パケットキャプチャ装置１５０ａ、１５０ｂ、１５０ｃにてキャプチャされた対応するＥＣウェブサーバ１１０ａ、１１０ｂ、１１０ｃに対する暗号化アクセスログをインターネット５０を介して取得する。そして、ＥＣウェブサーバ１１０ａ、１１０ｂ、１１０ｃ（商用サイト）毎に、暗号化アクセスログを復元し、図５に示す手順と同様の手順に従って、商用サイトへのリンクがなされたアフィリエイトサイトに対する広告成果情報を広告成果データベース（図４参照）に登録する。また、アフィリエイト管理サーバ４２０は、ＥＣウェブサーバ１１０ａ、１１０ｂ、１１０ｃ（商用サイト）毎に、図９及び図１０に示す手順と同様の手順に従って報酬金に係る処理を実行し、必要なデータを広告成果データベースに登録する。
【００５２】
このようなシステムによれば、アフィリエイト管理サーバ４２０は、複数のＥＣウェブサーバ１１０ａ、１１０ｂ、１１０ｃそれぞれのアクセスログを追跡して、各アフィリエイトサイトに対する広告成果情報の登録処理を集中的に行なうことができる。
【００５３】
前述した各システムにおいては、アフィリエイトサイトは、新聞等のメディア業者が提供する広告媒体としてのサイトであってもよい。この場合、商用サイトを運営するサービス提供業者は、各メディア事業者のサイトに対する広告成果情報に基づいて前記広告媒体としてのサイトの広告成果を数値的に検証することができるようになる。
【産業上の利用可能性】
【００５４】
以上、本発明に係る広告成果登録装置は、識別子等の他の情報の発行を伴うことなく、広告サイトの広告の成果を確実に登録することを可能となるという効果を奏し、ＩＰネットワーク上の商用サイトにリンクされた広告が掲載される広告サイトを経由した前記商用サイトへのアクセスに基づいて前記広告サイトの広告の成果を前記広告サイトに関連付けて登録する広告成果登録装置として有用である。
【図面の簡単な説明】
【００５５】
【図１】本発明の第一の実施の形態に係る広告成果登録装置が適用されるシステムを示す図である。
【図２】図１に示すシステムにおけるＥＣウェブサーバで収集されるアクセスログの一例を示す図である。
【図３】アフィリエイトプロファイルデータベースの構造例を示す図である。
【図４】広告成果データベースの構造例を示す図である。
【図５】アフィリエイト管理サーバでの処理の手順（その１）を示すフローチャートである。
【図６】成果情報の登録がなされないものと判定される場合のアクセスログの配列例（その１）である。
【図７】成果情報の登録がなされないものと判定される場合のアクセスログの配列例（その２）を示す図である。
【図８】成果情報の登録がなされないものと判定される場合のアクセスログの配列例（その３）を示す図である。
【図９】アフィリエイト管理サーバでの処理の手順（その２）を示すフローチャートである。
【図１０】アフィリエイト管理サーバでの処理の手順（その３）を示すフローチャートである。
【図１１】本発明の第二の実施の形態に係る広告成果登録装置が適用されるシステムを示す図である。
【符号の説明】
【００５６】
５０  インターネット
１００  サービス提供者施設
１１０、１１０ａ〜１１０ｃ  ＥＣウェブサーバ
１１１  ログ蓄積装置
１２０  アフィリエイト管理サーバ
１２１  アフィリエイトデータベース
１３０  管理画面用ウェブサーバ
１５０ａ〜１５０ｃ  パケットキャプチャ装置
２１０ａ〜２１０ｃ  アフィリエイトウェブサーバ
３００  ユーザ端末
４００  管理業者施設
４２０  アフィリエイト管理サーバ
４２１  アフィリエイトデータベース
４３０  管理画面用ウェブサーバ
【図１】
2006031076.tif 000003
【図２】
2006031076.tif 000004
【図３】
2006031076.tif 000005
【図４】
2006031076.tif 000006
【図５】
2006031076.tif 000007
【図６】
2006031076.tif 000008
【図７】
2006031076.tif 000009
【図８】
2006031076.tif 000010
【図９】
2006031076.tif 000011
【図１０】
2006031076.tif 000012
【図１１】
2006031076.tif 000013